(57)【要約】  【課題】  土砂等の搬出性能に優れたチェーンコンベアカッタを提供する。  【解決手段】  本装置は、駆動力を発生し発生した駆動力をチェーンに伝達する駆動部１と、チェーン３７を折り返して複数のビットにより地中を掘削するリターン部２と、駆動部とリターン部とを連結しチェーンを周回可能に支持するポスト部３を備える。ポスト部は、ポスト本体３１と、ポスト本体に固定され、ビット板４２のビット４３が設けられる反対の面に対して平行に対面する側板３４と、側板からビット板に向けて突設され、ビット板と側板とに挟まれる包囲空間を形成する一対の隔壁３６とを有し、チェーンは、包囲空間内を移動するように案内され、チェーンには、包囲空間内の土砂を掻き寄せるスクレーパ３９が取り付けられる。【選択図】  図２
2005330747.tif 000002
【特許請求の範囲】
【請求項１】
チェーンに複数のビット板を固定し、前記複数のビット板の一方の面に複数のビットを突設し、前記複数のビットにより地中を掘削するチェーンコンベアカッタであって、
一端部に設けられ、かつ駆動力を発生し発生した駆動力を前記チェーンに伝達する駆動部と、
他端部に設けられ、かつ前記チェーンを折り返して前記複数のビットにより地中を掘削するリターン部と、
前記駆動部と前記リターン部とを連結し前記チェーンを周回可能に支持するポスト部とを備え、
前記ポスト部は、
ポスト本体と、
前記ポスト本体に固定され、かつ前記ビット板の他方の面に対して平行に対面する側板と、
前記側板から前記ビット板に向けて突設され、前記ビット板と前記側板とに挟まれる包囲空間を形成する一対の隔壁とを有し、
前記チェーンは、前記包囲空間内を移動するように案内され、前記チェーンには、前記包囲空間内の土砂を掻き寄せるスクレーパが取り付けられていることを特徴とするチェーンコンベアカッタ。
【請求項２】
前記ポスト本体には、前記ポスト部の姿勢を規定するガイド棒が設けられている請求項１記載のチェーンコンベアカッタ。
【請求項３】
前記一対の隔壁の間隔は、前記ビット板の幅よりも狭く形成されている請求項１から２記載のチェーンコンベアカッタ。
【請求項４】
前記一対の隔壁の間隔は、前記ビット板の幅と等しく形成されている請求項１から２記載のチェーンコンベアカッタ。
【発明の詳細な説明】
【技術分野】
【０００１】
本発明は、ビットを用いて地中を掘削するチェーンコンベアカッタに関するものである。
【背景技術】
【０００２】
例えば、特許文献１（特開２００２−２９４６９０号公報）に開示されているように、ビットを用いて地中を掘削するチェーンコンベアカッタが知られている。
【０００３】
ところが、従来のチェーンコンベアカッタは、地中を掘削することに力点をおいて構成されている。ビットが地中を掘削しても、ビットは本来地中を砕く機能しか持たないから、土砂等を地上へ搬出することは難しい。特に、地中の流動性が高い場合（例えば、地下水がある場合や、地中に薬剤を注入する場合等）、ビットは土砂等に接しても空振りするばかりで、土砂等は地上へ搬出されない。
【０００４】
しかしながら、昨今、掘削の結果物である土砂等を地上へ搬出し、土砂等を地上で処理したいとする要請が増している。即ち、単に地中を掘削したり、地中で土砂と別の物質（例えばセメントミルク等）とを混合したりするだけでなく、土砂等をより積極的に地上へ搬出し、土壌ガスの曝気を行ったり、土砂等を再利用したいとする要請がある。
【特許文献１】特開２００２−２９４６９０号公報
【発明の開示】
【発明が解決しようとする課題】
【０００５】
そこで本発明は、土砂等の搬出性能に優れたチェーンコンベアカッタを提供することを目的とする。
【課題を解決するための手段】
【０００６】
請求項１記載のチェーンコンベアカッタは、チェーンに複数のビット板を固定し、複数のビット板の一方の面に複数のビットを突設し、複数のビットにより地中を掘削するチェーンコンベアカッタであって、一端部に設けられ、かつ駆動力を発生し発生した駆動力をチェーンに伝達する駆動部と、他端部に設けられ、かつチェーンを折り返して複数のビットにより地中を掘削するリターン部と、駆動部とリターン部とを連結しチェーンを周回可能に支持するポスト部とを備え、ポスト部は、ポスト本体と、ポスト本体に固定され、かつビット板の他方の面に対して平行に対面する側板と、側板からビット板に向けて突設され、ビット板と側板とに挟まれる包囲空間を形成する一対の隔壁とを有し、チェーンは、包囲空間内を移動するように案内され、チェーンには、包囲空間内の土砂を掻き寄せるスクレーパが取り付けられている。
【０００７】
この構成において、ビット板の一方の面にビットを突設し、他方の面により包囲空間を形成している。したがって、ビットによる掘削は、包囲空間を形成したことによって、何ら妨げられることなく実施できる。
【０００８】
また、包囲空間内において、スクレーパがチェーンと一体的に周回し、土砂等を掻き寄せることにより、土砂等を地上へ搬出することができる。しかも、ビット板の他方の面と、ポスト本体に固定される側板と、一対の隔壁により、包囲空間は包囲されているから、土砂等は、包囲空間から外へ出ることを許されず、スクレーパにより、効率的に地上へ搬出される。
【０００９】
請求項２記載のチェーンコンベアカッタでは、ポスト本体には、ポスト部の姿勢を規定するガイド棒が設けられている。
【００１０】
この構成により、ガイド棒を操作して、ポスト部の姿勢（即ち、チェーンコンベアカッタの姿勢）を位置決めしたり、移動したり、鉛直度や傾斜角度等を調整したりすることができる。従来技術では、チェーンコンベアカッタを吊すクレーン等の操作に頼った粗い位置あわせしかできなかったが、このようにすれば、より緻密にチェーンコンベアカッタの位置を制御でき、例えば、狭小地や破壊してはならない建造物の付近での掘削作業を行いやすい。
【００１１】
請求項３記載のチェーンコンベアカッタでは、一対の隔壁の間隔は、ビット板の幅よりも狭く形成されている。
【００１２】
この構成により、スクレーパが掻き寄せる土砂等の体積を小さくできる。この点は、土砂等に固化材等を撹拌・混合する工法において有効であり、土砂等と固化材等との混合物の流動性が高い状態において、混合物のオーバーフローを抑制することができ好適である。
【００１３】
請求項４記載のチェーンコンベアカッタでは、一対の隔壁の間隔は、ビット板の幅と等しく形成されている。
【００１４】
この構成により、スクレーパが掻き寄せる土砂等の体積を大きくできる。この点は、地中の土砂等を別の土砂に入れ替える工法において有効である。例えば、地中の土砂等の全てを別の土砂に短時間で効率よく置換できる。
【発明の効果】
【００１５】
本発明によれば、地中の土砂等を、地上へ効率的に搬出でき、しかも、ビットによる掘削は、何ら妨げられない。
【発明を実施するための最良の形態】
【００１６】
以下、図面を参照しながら、本発明の実施の形態を説明する。
【００１７】
図１は、本発明の一実施の形態におけるチェーンコンベアカッタの概観図、図２は、ポスト部の水平断面図である。なお、ポスト部は、左右対称であるから、図２において、右半分のみを示してある。
【００１８】
図１に示すように、本形態のチェーンコンベアカッタは、次の要素を備える。
【００１９】
駆動部１は、チェーンコンベアカッタの一端部に設けられ、かつ駆動力を発生し発生した駆動力をチェーン３７に伝達する。
【００２０】
リターン部２は、チェーンコンベアカッタの他端部に設けられ、かつチェーン３７を折り返して複数のビット４３により地中を掘削する。
【００２１】
ポスト部３は、駆動部１とリターン部２とを連結しチェーン３７を周回可能に支持する。
【００２２】
図２に示すように、チェーン３７には、複数のビット板４２が固定される。それぞれのビット板４２の一方の面には、複数のビット４３が突設される。駆動部１が駆動し、チェーン３７が周回すると、リターン部２において、これらのビット４３が、地中を掘削する。
【００２３】
また、ポスト部３は、構造体であるポスト本体３１に、次の要素を設けて構成される。
【００２４】
側板３４は、ポスト本体３１に固定され、ビット板４２の他方の面（ビット４３が突設されていない面）に対して平行に対面する。
【００２５】
平行で一対の隔壁３６は、側板３４からビット板４２の他方の面に向けて突設される。隔壁３６の先端面は、滑り面３６ａとなっており、ビット板４２の他方の面は、隔壁３６の滑り面３６ａにスライド自在に案内される。
【００２６】
側板３４と、ビット板４２の他方の面と、一対の隔壁３６とにより、包囲空間が形成される。
【００２７】
また、側板３４のうち、チェーン３７が通過する位置には、チェーン案内板３５が設けられている。なお、側板３４、隔壁３６及びチェーン案内板３５は、ポスト本体３１と一体的に設けられるので、チェーン３７が移動しても移動しない。なお、チェーン案内板３５は、側板３４の摩耗対策のため設けられるものであり、省略しても差し支えない。
【００２８】
本形態では、図３に示すように、チェーン３７にスクレーパ３９が固定される。即ち、チェーン３７のピッチと等ピッチのシャックル３８が、チェーン３７にかえて連結され、シャックル３８の開口部により、スクレーパ３９の縁部が挟持される。さらに、シャックル３８の開口部とスクレーパ３９の縁部とは、固定ボルト・ナット４０で固定される。
【００２９】
また、図２に示すように、スクレーパ３９の側面は、連結板４１を介して、ビット板４２の他方の面に固定される。
【００３０】
したがって、チェーン３７が図２の紙面垂直方向に移動すると、それと一体的に、スクレーパ３９、ビット板４２及びビット４３が移動し、スクレーパ３９は、包囲空間内において土砂等を同方向へ掻き寄せることになる。
【００３１】
図１及び図２に示すように、ポスト本体３１からアームプレート３２が延設され、アームプレート３２の先端部には、ポスト部３の姿勢を規定するガイド棒３３が設けられている。ガイド棒３３の中心軸は、チェーンコンベアカッタの長手方向と平行である。ガイド棒３３を操作すると、チェーンコンベアカッタの姿勢を緻密に制御できる。
【００３２】
また、図２の構成では、一対の隔壁３６の間隔Ｗ１は、ビット板４２の幅Ｗ２よりも狭く形成されている。こうすると、土砂等と固化材等との混合物の流動性が高い状態において、混合物のオーバーフローを抑制できる。
【００３３】
あるいは、図４に示すように構成することもできる。図４では、一対の隔壁３６の間隔は、ビット板４２の幅と等しい。
【００３４】
こうすると、地中の土砂等を短時間で効率よく別の土砂に置換できる。
【図面の簡単な説明】
【００３５】
【図１】本発明の一実施の形態におけるチェーンコンベアカッタの概観図
【図２】本発明の一実施の形態におけるポスト部の断面図
【図３】本発明の一実施の形態におけるスクレーパの断面図
【図４】本発明の一実施の形態におけるポスト部の断面図
【符号の説明】
【００３６】
１  駆動部
２  リターン部
３  ポスト部
３１  ポスト本体
３２  アームプレート
３３  ガイド棒
３４  側板
３５  チェーン案内板
３６  隔壁
３６ａ  滑り面
３７  チェーン
３８  シャックル
３９  スクレーパ
４０  固定ボルト・ナット
４１  連結板
４２  ビット板
４３  ビット
【図１】
2005330747.tif 000003
【図２】
2005330747.tif 000004
【図３】
2005330747.tif 000005
【図４】
2005330747.tif 000006